(57)【要約】  フロージェネレータと共に使用されるアダプタは、フロージェネレータ（１４）の出口（２４）に取付け可能な導管（１６）と、導管によって支持され、フロージェネレータに取付け可能な特定の周辺構成要素に固有の識別特徴を提供する識別要素（４６）とを含む。フロージェネレータの適切な動作パラメータが、フロージェネレータによって自動的に選択されて、特定の周辺構成要素と協調できるように、識別特徴はフロージェネレータに伝達可能である。
2008531136.tif 000002
【特許請求の範囲】
【請求項１】
治療のために患者に提供される加圧空気を、出口において供給するフロージェネレータと共に使用されるアダプタであって、
前記フロージェネレータの前記出口に取付け可能な導管と、
前記導管によって支持され、前記フロージェネレータに取付け可能な特定の周辺構成要素に固有の識別特徴を提供する識別要素とを備え、
前記フロージェネレータの適切な動作パラメータが、前記フロージェネレータによって自動的に選択されて、前記特定の周辺構成要素と協調できるように、前記識別特徴が前記フロージェネレータに伝達可能である、アダプタ。
【請求項２】
前記識別要素が抵抗器であり、前記識別特徴が抵抗値である、請求項１に記載のアダプタ。
【請求項３】
前記識別要素が、前記導管によって支持されたコネクタ部分に連結され、前記コネクタ部分が、前記フロージェネレータ上に提供されたコネクタ部分と取外し可能に連結するように適合された、請求項１から２のいずれか一項に記載のアダプタ。
【請求項４】
前記アダプタの前記コネクタ部分および前記フロージェネレータの前記コネクタ部分が、互いに電気的に結合可能な導体である、請求項３に記載のアダプタ。
【請求項５】
出口で提供される加圧空気の供給を生成するフロージェネレータと、
封止を提供するため、患者の顔面と係合可能な患者インターフェースと、
前記フロージェネレータから前記患者インターフェースまで前記加圧空気の供給を送達するため、前記フロージェネレータと前記患者インターフェースの間に連結された空気送達導管と、
請求項１に記載のアダプタとを備える、ＣＰＡＰ装置。
【請求項６】
前記特定の周辺構成要素が前記患者インターフェースである、請求項５に記載のＣＰＡＰ装置。
【請求項７】
前記適切な動作パラメータが前記フロージェネレータのメモリに格納された、請求項５から６のいずれか一項に記載のＣＰＡＰ装置。
【請求項８】
複数のアダプタが前記出口に取り付けられ、前記アダプタがそれぞれ各周辺構成要素と関連付けられた、請求項５から７のいずれか一項に記載のＣＰＡＰ装置。
【請求項９】
各アダプタの前記識別要素が抵抗器であり、前記関連付けられた識別特徴が抵抗値であり、前記アダプタの前記抵抗値全ての合計が、アダプタの組み合わせそれぞれに対して固有のものである、請求項８に記載のＣＰＡＰ装置。
【請求項１０】
治療のために患者に提供される加圧空気を、出口において供給するフロージェネレータと共に使用される識別器であって、
前記フロージェネレータに取付け可能な特定の周辺構成要素に固有の識別特徴を提供する識別要素を備え、
前記フロージェネレータの適切な動作パラメータが、前記フロージェネレータによって自動的に選択されて、前記特定の周辺構成要素と協調できるように、前記識別特徴が前記フロージェネレータに伝達可能である、識別器。
【請求項１１】
前記識別要素が、前記フロージェネレータの前記出口に取付け可能なアダプタによって支持される、請求項１０に記載の識別器。
【請求項１２】
治療のために患者に提供される加圧空気を、出口において供給するフロージェネレータを動作させる方法であって、
周辺構成要素のパラメータを測定する工程と、
前記パラメータを識別構成要素に格納する工程と、
前記周辺構成要素をフロージェネレータに取り付ける工程と、
前記格納されたパラメータを前記フロージェネレータに伝達する工程と、
前記格納されたパラメータに少なくとも部分的に基づいて、前記フロージェネレータを動作させる工程とを含む方法。
【請求項１３】
前記周辺構成要素が患者インターフェースである、請求項１２に記載の方法。
【請求項１４】
前記格納されたパラメータが空気漏れ量である、請求項１２から１３のいずれか一項に記載の方法。
【請求項１５】
前記識別構成要素が前記周辺構成要素と共にパッケージされたカードである、請求項１２から１４のいずれか一項に記載の方法。
【発明の詳細な説明】
【技術分野】
【０００１】
（関連出願の相互参照）
本願は、その全体が参考により本明細書に組み込まれる、２００６年３月１日出願の米国特許出願第６０／６５６８８０号の利益を主張する。
【０００２】
本発明は、呼吸に適したガスを患者に送達する装置に関する。
【背景技術】
【０００３】
呼吸に適したガスを患者に送達する装置は、一般的に、フロージェネレータ、空気送達導管、および患者インターフェースを含む。使用に先立って、フロージェネレータの動作パラメータ、例えば治療圧力を、使用される周辺構成要素、例えば患者インターフェースと協調させるため、患者が手動で調節する必要がある。例えば、既知のフロージェネレータは、使用される周辺構成要素のタイプを、例えば銘柄、送達方法などによって患者が選択できるようにする、メニューシステムを含む。構成要素が患者によって選択されると、フロージェネレータは、選択された構成要素と最も良好に協調する、フロージェネレータの適切な動作パラメータを選択することができる。
【０００４】
本発明は、フロージェネレータと周辺構成要素との協調を容易にする、既知の装置に対する改善を提供する。
【特許文献１】米国特許出願第６０／６５６８８０号
【発明の開示】
【発明が解決しようとする課題】
【０００５】
本発明の１つの態様は、フロージェネレータと周辺構成要素の間の協調を容易にする構造を提供する認識システムを対象とする。
【課題を解決するための手段】
【０００６】
本発明の別の態様は、治療のために出口で患者に提供される加圧空気の供給を生成するフロージェネレータと共に使用されるアダプタに関する。アダプタは、フロージェネレータの出口に取付け可能な導管と、導管によって支持され、フロージェネレータに取付け可能な特定の周辺構成要素に固有の識別特徴を提供する識別要素とを含む。フロージェネレータの適切な動作パラメータが、フロージェネレータによって自動的に選択されて、特定の周辺構成要素と協調できるように、識別特徴はフロージェネレータに伝達可能である。
【０００７】
本発明の他の態様、特徴、および利点は、以下の詳細な説明を添付図面と併せ読むことにより、明らかになるであろう。添付図面は、本開示の一部であり、本発明の原理を一例として図示する。
【０００８】
添付図面は、本発明の様々な実施形態についての理解を容易にする。
【発明を実施するための最良の形態】
【０００９】
図１〜９は、本発明の一実施形態にしたがって構成された認識システム１０を示す。認識システム１０は、例えば、睡眠呼吸障害（ＳＤＢ）をＣＰＡＰまたは非侵襲性陽圧換気法（ＮＩＰＰＶ）を用いて治療するため、呼吸に適した加圧空気の患者への供給を送達する装置１２と共に使用されるように構築される。図１に最も良く示されるように、装置１２は、一般に、フロージェネレータ１４、空気送達導管１６、および患者インターフェース１８を含む。より詳細に後述されるように、認識システム１０は、フロージェネレータ１４の適切な動作パラメータがフロージェネレータ１４によって自動的に選択されて、選択された周辺構成要素と協調できるように、フロージェネレータ１４が、患者によって選択された周辺構成要素の１つまたは複数を自動的に認識または識別することを可能にする。
【００１０】
フロージェネレータ１４は、治療のために患者に提供される加圧空気の供給を生成するように構築される。フロージェネレータ１４は、ハウジング２０と、ハウジング２０内で支持されるブロワー２２とを含む。当該技術では知られているように、ブロワー２２は、１つまたは複数の吸気開口部を介してハウジング２０に空気の供給を引き込み、かつ出口２４で空気の圧流を提供するように動作可能である（図１、４、および５を参照）。
【００１１】
加圧空気の供給は、図１に示されるように、フロージェネレータ１４の出口２４に連結された１つの端部２６と患者インターフェース１８に連結された反対側の端部２８とを含む、空気送達導管１６を介して患者に送達される。
【００１２】
患者インターフェース１８は、患者の顔面を快適に係合し、封止を提供する。患者インターフェース１８は、当該分野で知られているような任意の適切な構成、例えば、全面マスク、鼻マスク、口鼻マスク、口マスク、鼻プロング（prongs）などを有してもよい。また、患者インターフェース１８を患者の顔面上の所望の位置で快適に支持するため、任意の適切なヘッドギア装置３０が使用されてもよい。
【００１３】
図２〜４に最も良く示されるように、フロージェネレータ１４のハウジング２０は、上側壁３２と、下側壁３４と、上側壁３２と下側壁３４を相互接続する側壁３６とを含む。図示された実施形態では、出口２４は側壁３６の１つに設けられる。また、上側壁３２は、フロージェネレータ１４の１つまたは複数のパラメータ、例えば治療圧力を調節する手動制御部３８を組み込んでいる。ただし、出口２４および／または制御部３８は、ハウジング２０の壁のいずれに組み込まれてもよい。また、フロージェネレータ１４は、ハウジング２０に組み込まれる追加の機構、例えば電源を含んでもよいことを理解されたい。
【００１４】
図６に示されるように、フロージェネレータ１４は、入力信号を受け取り、かつ入力信号に基づいてブロワー２２の動作を制御するように動作可能なコントローラ４０を含む。入力信号は、患者によって手動で選択されて、フロージェネレータ１４の様々なパラメータを調節することができる、複数の制御機構を有する制御部３８によって提供されてもよい。例えば、コントローラ４０がブロワーの出口圧力を調節して、選択された患者インターフェース１８と協調させるように、患者は、使用される患者インターフェース１８のタイプを、例えば制御部３８のメニューシステムを介して選択してもよい。コントローラ４０は、例えば銘柄または送達方法によって、様々な患者インターフェースに対して好ましい動作パラメータを格納するメモリ４２を含んでもよい。コントローラ４０が、選択された患者インターフェース１８に関する入力信号を制御部３８から受け取ると、コントローラ４０は、選択された患者インターフェース１８に対するメモリ４２内に格納された動作パラメータに基づいて、ブロワー２２を動作させることができる。あるいは、選択された患者インターフェース１８に対する好ましい動作パラメータは、制御部３８を介して手動で入力可能となる。
【００１５】
コネクタの認識
認識システム１０が提供されると、フロージェネレータ１４のコントローラ４０が、１つまたは複数の周辺構成要素、例えば患者インターフェース１８を自動的に認識することが可能になるので、患者は制御部３８を利用する必要がない。さらに、認識システム１０は、フロージェネレータ１４が、選択された周辺構成要素のために特に最適化された動作パラメータを選択することを可能にするので、認識システム１０は、装置１２がより効率的に動作することを可能にする。
【００１６】
図示された実施形態では、認識システム１０は、フロージェネレータ１４によって提供される第１のコネクタ部分４４（例えば、図４、５、および６を参照）と、第１のコネクタ部分４４と取外し可能に連結されるように適合された第２のコネクタ部分４６（例えば、図２、３、および６〜９を参照）とを含む。第２のコネクタ部分４６は、特定の周辺構成要素、例えば患者インターフェース１８と関連付けられ、特定の周辺構成要素に固有の識別特徴を含む。第１のコネクタ部分４４は、コントローラ４０が識別特徴、さらには関連付けられた周辺構成要素を認識できるように、第２のコネクタ部分４６の識別特徴をコントローラ４０に伝達する構造を含む。その結果、コントローラ４０は、例えばメモリ４２を介して、ブロワー２２の適切な動作パラメータを選択して、関連付けられた周辺構成要素と協調することができる。例えば、ブロワーの出口圧力が患者インターフェースの１つの群、例えば鼻用に対しては比較的低く、患者インターフェースの別の群、例えば鼻および口用に対しては比較的高くなるように、ブロワー２２が制御されてもよい。
【００１７】
図２、３、および７〜９に示されるように、第２のコネクタ部分４６は、フロージェネレータ１４の出口２４と空気送達導管１６の端部２６とを相互接続するように適合された、アダプタ４８上に提供される。具体的には、アダプタ４８は、出口２４に取付け可能な第１の端部部分５０と、空気送達導管１６に取付け可能な第２の端部部分５２とを含む導管の形態である。図示されるように、第１の端部部分５０は、第２の端部部分５２よりも大きな直径を有する。ただし、端部部分５０、５２は、任意の適切な構成、例えば類似した直径を有してもよい。また、間隔が空けられた輪郭が付けられた畝の形態の把持部分５４が、接続を容易にするため、第１および第２の端部部分５０、５２の間に提供される。
【００１８】
図示されるように、第２のコネクタ部分４６は第１の端部部分５０に取り付けられる。その結果、アダプタ４８が出口２４に連結されているとき、第２のコネクタ部分４６は、フロージェネレータ１４上の第１のコネクタ部分４４と取外し可能に連結することができる。図示された実施形態では、第１のコネクタ部分４４は第１の導体の形態であり、第２のコネクタ部分４６は第２の導体の形態である。また、第２の導体４６は、特定の周辺構成要素に固有の識別特徴を提供する、抵抗器の形態の識別要素と橋絡される。
【００１９】
使用中、第２の導体４６が第１の導体４４に電気的に連結されるように、アダプタ４８は出口２４に取り付けられる。図示された実施形態では、第２の導体は、軸方向に延びる開口部５８を備えた金属ピン５６を含み、第１の導体は金属ピン６０を含む。金属ピン５６の軸方向に延びる開口部５８は、その中に金属ピン６０を受け入れて、第１および第２の導体４４、４６を電気的に連結する。ただし、第１および第２導体４４、４６は、他の任意の適切な方法で電気的に連結されてもよい。連結されると、コントローラ４０は、第２の導体４６と橋絡された抵抗器によって提供される抵抗を検出することができる。抵抗は個々の周辺構成要素に固有なので、コントローラ４０は、抵抗によって特定の周辺構成要素を認識することができる。認識されると、フロージェネレータ１４の適切な動作パラメータが、コントローラ４０によって自動的に選択されて、指定された周辺構成要素と協調することができる。
【００２０】
例えば、図１０は、ＲｅｓＭｅｄ  Ｌｔｄ．によって販売されている３つの既知の患者インターフェースを列挙している。患者インターフェースにはそれぞれ、固有の抵抗値を有する第２のコネクタ部分４６を有するアダプタ４８が供給される。図示された実施形態では、Ａｃｔｉｖａ（登録商標）は約１オームの抵抗を提供する抵抗器を有し、Ｍｉｒａｇｅ（登録商標）は約２オームの抵抗を提供する抵抗器を有し、ＵｌｔｒａＭｉｒａｇｅ（登録商標）は約３オームの抵抗を提供する抵抗器を有する。したがって、アダプタ４８およびその第２のコネクタ部分４６がフロージェネレータ１４と係合されているとき、コントローラ４０が２オームの抵抗を検出した場合、コントローラ４０は、Ｍｉｒａｇｅ（登録商標）がフロージェネレータ１４に連結されていると認識し、Ｍｉｒａｇｅ（登録商標）に対して最適化されたブロワーの動作パラメータを選択する。
【００２１】
したがって、認識システム１０は、患者が単に、アダプタ４８およびその第２のコネクタ部分４６をフロージェネレータ１４に連結して、特定の周辺構成要素、例えば患者インターフェース１８に対してフロージェネレータ１０を自動的に構成することができる、「プラグアンドプレイ」構成を提供する。
【００２２】
装置１２の１つを超える周辺構成要素は、関連付けられた周辺構成要素に対してフロージェネレータ１４を自動的に構成する、固有のアダプタ４８を備えてもよいことを理解されたい。例えば、アダプタ４８は、患者インターフェース１８、空気送達導管１６、およびフロージェネレータ１４に連結された給湿器（図示なし）のそれぞれを備えてもよい。コントローラ４０が、どの構成要素がフロージェネレータ１４に連結されているかを認識できるように、各アダプタ４８は、上述したように固有の識別特徴を有する。さらに、コントローラ４０は、患者インターフェース１８、空気送達導管１６、給湿器それぞれの特徴を考慮に入れるように、フロージェネレータ１４の動作を最適化することができる。
【００２３】
一実施形態では、アダプタ４８は、特定の周辺構成要素に対応するように色分けされてもよい。さらに、周辺構成要素は、対応するアダプタ４８の色と一致する色付きの要素を有してもよい。これにより、アダプタ４８を容易に認識し、各構成要素と関連付けることが可能になる。例えば、患者インターフェース１８は、紫色のアダプタ４８を伴う紫色のスイベルコネクタを有してもよい。紫色のアダプタ４８がフロージェネレータ１４に連結されると、コントローラ４０は、紫色の患者インターフェース１８の特徴に対応するようにフロージェネレータ１４を最適化する。それに加えて、または別の方法では、コネクタおよび／または周辺構成要素は、例えば多角形、六角形などの形状のような触覚インジケータを有してもよい。
【００２４】
複数の周辺構成要素、例えば患者インターフェースおよび給湿器が、フロージェネレータ１４に連結されたとき、複数のアダプタ４８が、フロージェネレータ１４の出口２４に積み重ねられてもよい。例えば、給湿器と関連付けられた黄色のアダプタ４８に積み重ねられた、患者インターフェース１８と関連付けられた紫色のアダプタ４８は、患者インターフェース１８と給湿器の両方がフロージェネレータ１４に取り付けられていることを、コントローラ４０に信号で伝達する。積み重ねられると、アダプタの１つ４８Ａは、上述したようにフロージェネレータ１４に連結され、第２のアダプタ４８Ｂは第１のアダプタ４８Ａに連結されるので、図１１に示すように、第２のアダプタ４８Ｂの第１の端部５０は第１のアダプタ４８Ａの第２の端部５２に取付け可能であり、第２のアダプタ４８Ｂの第２の端部５２は空気送達導管１６に取付け可能である。さらに、第２のアダプタ４８Ｂの導体４６は、第１のアダプタ４８Ａの導体４６の後部に電気的に連結される。一実施形態では、取付けの順序に制限が課せられるように、アダプタ４８Ｂは、下流側のコネクタからはプラグを受け入れることができないように、正確に言えば、フロージェネレータにより近いアダプタ４８Ａにのみプラグ接続することができるように構築されてもよい。ただし、コネクタの組立て作業を容易にするため、アダプタを無作為な順序で取り付けることができることが好ましい。
【００２５】
並列に配線された２つの抵抗器値の合計値は、単純なエレクトロニクスを介して認識することができる（例えば、Ｒ１が患者インターフェースと関連付けられた抵抗器値であり、Ｒ２が給湿器と関連付けられた抵抗器値であるとき、１／Ｒ  Ｔｏｔａｌ＝１／Ｒ１＋１／Ｒ２）。（１／Ｒ  Ｔｏｔａｌ）の値は、ブロワーの設定に関連し、それによって、選択された患者インターフェースと給湿器両方の特定の特徴で最適に機能するように動作パラメータが調節される。この構成により、接続されたシステムが最適に動作するように周辺構成要素を整合させるための、ユーザの関与が排除される。
【００２６】
認識システム１０は、コントローラ４０が選択された周辺構成要素を自動的に認識できるようにするのに適した、任意の構造を有してもよいことを理解されたい。図示された実施形態では、識別可能な抵抗器を組み込んだアダプタ４８が、周辺構成要素を識別するために利用される。ただし、識別要素は、任意の適切な識別可能な構造、例えば、インピーダンス（例えば様々なサイズの孔を使用する）、マイクロスイッチ、赤外線検出器、様々な長さのピン、様々な数のピン、様々なピン取付物、ばね荷重などを有してもよい。例えば、一実施形態は、マイクロスイッチ（または、長さによっては一連のスイッチ）を組み込むことができるか、あるいは、ピンの長さによって、例えば、可変抵抗器を動作させるレバーをピンがどれだけの距離押すかによってその値が決定される、可変抵抗器を動作させることができる、１つまたは複数の様々な長さのピン４６．１を、コネクタの端部に組み込んでもよい。コネクタの周りに配置された一連のマイクロスイッチ、例えば６個のスイッチは、リモートコントロールと同様に、ピン４６．２によってオンまたはオフどちらかの位置に動作されることができる。例えば、図１２および１３を参照のこと。
【００２７】
あるいは、アダプタ、および／またはピンなどのその構成要素は、周辺構成要素を備えたフロージェネレータを符号化する、コード化された部分を含んでもよい。これは、ハウジングをカメラに装填する際に、カメラフィルムハウジングが、カメラフィルムを備えたカメラを符号化する方式に類似している。
【００２８】
別の実施形態では、第２のコネクタ部分４６は、アダプタ４８とは別の、フロージェネレータ１４上に提供された第１のコネクタ部分４４と係合可能な別個のキーとして提供されてもよい。したがって、アダプタ４８は排除されてもよく、空気送達導管１６は、フロージェネレータ１４の出口２４に直接接続してもよい。
【００２９】
また、コントローラ４０は、任意の適切なやり方で周辺構成要素を識別してもよい。換言すれば、周辺構成要素と関連付けられた識別特徴は、任意の適切なやり方でコントローラ４０に伝達されてもよい。例えば、識別特徴は、周辺構成要素、例えば患者インターフェース自体に組み込まれ、周辺構成要素からフロージェネレータ１４まで延びるワイヤを介して、コントローラ４０に伝達されてもよい。あるいは、識別特徴は、無線で、例えばＲＦＩＤ、ＩＲ、プリズム式、スマートカード（コンピュータチップ）で、コントローラ４０に伝達されてもよい。「無線」の実施形態では、コントローラ４０は、周辺構成要素と関連付けられた識別構成要素によって送信された信号を受け取るように適合された受信器に連結される。
【００３０】
別の実施形態では、周辺構成要素は、識別情報を有するバーコードを含んでもよいので、周辺構成要素がフロージェネレータ１４上に提供されたバーコード読取機に通され、それによって、コントローラ４０が、利用されている特定の周辺構成要素を識別できるようにされてもよい。
【００３１】
また、識別構成要素によって、他の情報、例えば患者の使用のログ、各使用中に使用された構成要素、寿命、サービス指示などが提供されてもよい。
【００３２】
フロージェネレータ１４は、周辺構成要素が認識され、かつ／または識別されていることを示す、１つまたは複数の表示灯を含んでもよい。例えば、図２および３に示されるように、フロージェネレータ１４は、構成要素がまだ認識されていないことを示す赤色灯６２（図２）と、アダプタ４８が接続され、関連付けられた構成要素が認識されていることを示す緑色灯６４とを含む。したがって、表示灯は、接続およびブロワー設定の状態に関する正のフィードバックを提供してもよい。異なる灯、例えばＡｃｔｉｖａ（登録商標）マスクのための１つの灯と、ＵｌｔｒａＭｉｒａｇｅ（登録商標）全面マスクなどのための別の灯が、さらに、異なる周辺装置を示し、正しく調整されていることを確認してもよい。
【００３３】
図示された実施形態では、第２のコネクタ部分４６が第１のコネクタ部分４４と連結できるようにするため、アダプタ４８は、出口２４および第１のコネクタ部分４４と適切に整列されなければならない。ただし、第１および第２のコネクタ部分４４、４６は、出口２４に対するアダプタ４８の向きが重要ではないように、構成され配置されてもよい。さらに、フロージェネレータは、認識システムの１つまたは複数の構成要素が採用されていなくても動作し続けるが、動作特性は、使用中の特定の構成要素に対して最適化されないことがある。
【００３４】
認識システム１０は、接続された周辺構成要素と共に機能するようにフロージェネレータ１４が最適化されることを可能にする点で有利である。これにより、フロージェネレータ１４の設定に対する患者の関与が最小限に抑えられ、したがって、使いやすさが改善される。
【００３５】
メーカーのライン上での漏れ試験
一般的には、メーカーは、製造された患者インターフェースの漏れを製造ライン上で試験し、また、各患者インターフェースが確実にフロージェネレータと共に使用され得るように、漏れがフロー対圧力曲線の上限範囲と下限範囲の間にあることを求める。フロー対圧力曲線は、意図される漏れ源、例えばベント、および意図されない漏れ源を測定する。したがって、図１４のＡの位置にある患者インターフェースは受容可能であり、図１４のＢおよびＣの位置にある患者インターフェースは受容可能ではない。認識システム１０が利用される場合、患者インターフェースの漏れ試験結果は、識別構成要素、例えばスマートカード上に提供され、使用中のコントローラ４０に転送されてもよい。図１５は、フロージェネレータを動作させる代表的な方法を説明するフローチャートである。この情報により、コントローラ４０は、患者インターフェースの測定された動作パラメータを補償するように、フロージェネレータ１４を最適化することができる。換言すれば、患者インターフェースの特定のパラメータはフロージェネレータ１４において補償される。これにより、図１４のＢおよびＣの位置にあるマスクを利用することができるように、一般的な範囲の要件を排除することが可能になる。したがって、製造設計の制約が低減されてもよいので、製造基準の理由から一般的には使用されない患者インターフェースが使用されてもよい。
【００３６】
本発明を、現在最も実用的で好ましい実施形態であると考えられるものに関連して記載してきたが、本発明は開示される実施形態に限定されるものではなく、反対に、本発明の趣旨および範囲に含まれる様々な変形および同等の構成を包含するものであることを理解されたい。
【図面の簡単な説明】
【００３７】
【図１】呼吸に適したガスを患者に送達する、本発明の一実施形態にしたがって構築された認識システムを含む装置の一実施形態の側面図である。
【図２】図１に示される認識システムを組み込むフロージェネレータ、および作動している表示灯の１つを示す上面斜視図である。
【図３】別の表示灯が作動している図２に類似の上面斜視図である。
【図４】認識システムのアダプタが取り除かれた、図２に示されるフロージェネレータの正面斜視図である。
【図５】図４に示されるフロージェネレータの拡大正面斜視図である。
【図６】図２に示されるフロージェネレータおよび認識システムの概略図である。
【図７】図２に示される認識システムのアダプタの斜視図である。
【図８】図７に示されるアダプタの別の角度からの斜視図である。
【図９】図７に示されるアダプタの上面図である。
【図１０】ＲｅｓＭｅｄ  Ｌｔｄ．が販売している既知のマスクと関連付けられたアダプタの実施形態に対する、図２に示される認識システムによって検出された様々な大きさの抵抗を示す図である。
【図１１】認識システムの積み重ねアダプタを示す斜視図である。
【図１２】本発明のさらなる実施形態によるアダプタ／コネクタの概略側面図である。
【図１３】本発明のさらなる実施形態によるアダプタ／コネクタの概略側面図である。
【図１４】患者インターフェースのメーカーが好ましいとする、フロー対圧力の上限範囲および下限範囲を示すグラフである。
【図１５】フロージェネレータを動作させる方法の一実施形態を示すフローチャートである。
【符号の説明】
【００３８】
１０  認識システム
１４  フロージェネレータ
１６  導管
１８  患者インターフェース
２０  ハウジング
２２  ブロワー
２４  出口
３８  制御部
４０  コントローラ
４２  メモリ
４４、４６  コネクタ部分
４８  アダプタ
【図１】
2008531136.tif 000003
【図２】
2008531136.tif 000004
【図３】
2008531136.tif 000005
【図４】
2008531136.tif 000006
【図５】
2008531136.tif 000007
【図６】
2008531136.tif 000008
【図７】
2008531136.tif 000009
【図８】
2008531136.tif 000010
【図９】
2008531136.tif 000011
【図１０】
2008531136.tif 000012
【図１１】
2008531136.tif 000013
【図１２】
2008531136.tif 000014
【図１３】
2008531136.tif 000015
【図１４】
2008531136.tif 000016
【図１５】
2008531136.tif 000017
【国際調査報告】
2008531136.tif 000018
2008531136.tif 000019